(57)【要約】【課題】  蓋のロック機構の構成を簡略化でき、尚且つ確実なロック機能が維持できる飲料容器用蓋の提供。【解決手段】  容器本体１の上部開口側に着脱自在に取付けられる蓋用本体部２と、蓋用本体部２に水平軸３で回動自在に取付けた回動蓋４とを備え、且つ蓋用本体部２の前側に回動蓋４の閉状態保持と解除とを行う操作ボタン５と、ロック部材６とを備え、操作ボタン５は、上下方向の中間部に蓋用本体部２の外周壁に連続し、蓋用本体部２の外周壁と一体を成すヒンジ部２１を備え、ヒンジ部２１を支点として揺動可能となり、上端部が回動蓋４の先端部と係脱し、ロック部材６は、上下方向にスライド可能に取付けられ、上端部に回動蓋４との係合部７を有し、上方にスライドしたときに係合部７が回動蓋４と係合して回動蓋４を閉状態でロックし、下方にスライドしたときに係合部７と回動蓋４との係合が解除される。【選択図】      図６
2009023712.tif 000002
【特許請求の範囲】
【請求項１】
容器本体（１）の上部開口側に着脱自在に取付けられる蓋用本体部（２）と、蓋用本体部（２）に水平軸（３）で回動自在に取付けた回動蓋（４）とを備え、且つ蓋用本体部（２）の前側に回動蓋（４）の閉状態保持と解除とを行う操作ボタン（５）と、ロック部材（６）とを備え、操作ボタン（５）は、上下方向の中間部に蓋用本体部（２）の外周壁に連続し、蓋用本体部（２）の外周壁と一体を成すヒンジ部（２１）を備え、ヒンジ部（２１）を支点として揺動可能となり、上端部が回動蓋（４）の先端部と係脱し、ロック部材（６）は、上下方向にスライド可能に取付けられ、上端部に回動蓋（４）との係合部（７）を有し、上方にスライドしたときに係合部（７）が回動蓋（４）と係合して回動蓋（４）を閉状態でロックし、下方にスライドしたときに係合部（７）と回動蓋（４）との係合が解除されることを特徴とする飲料容器用蓋。
【請求項２】
ロック部材（６）は、操作ボタン（５）の両側及び下側を囲むように設けてあり、下部から前方に膨出する操作部（８）を有し、上方にスライドしたときに操作部（８）の内側に操作ボタン（５）の下部が収容されることを特徴とする請求項１記載の飲料容器用蓋。
【請求項３】
ロック部材（６）は、上方にスライドしたときに操作ボタン（５）の下部と蓋用本体部（２）外周壁との間に挿入し、操作ボタン（５）の動きを規制する操作ボタン規制部（９）を有することを特徴とする請求項１又は２記載の飲料容器用蓋。
【発明の詳細な説明】
【技術分野】
【０００１】
本発明は、携帯用魔法瓶や水筒、スポーツドリンク容器等の各種飲料容器の蓋に関する。
【背景技術】
【０００２】
従来の携帯用魔法瓶等の蓋として、特許文献１には、容器本体２の上部開口に注出口４ｂを有する口栓部材４が装着され、注出口４ｂを液密に覆う蓋部材６が口栓部材４にヒンジ５にて開閉可能に連結され、ヒンジ５と反対側に、蓋部材６の閉状態の保持と解除とを行うロック機構７を備えたものが記載されている。ロック機構７は、蓋部材６の回動端に設けられた係合片８と、口栓部材４の外面部に設けた軸部材９により軸支されて口栓部材４の内外方向に回動可能に取付けられたロックボタン１０と、口栓部材４の外周壁に上下方向にスライド可能に設けられたスライド式ストッパ１１とで構成してある。ロックボタン１０は、上部に蓋部材６の係合片８が係脱可能な係合部１２を有し、係合部１２が係合片８と係合する方向にスプリング１３で付勢してあり、スライド式ストッパ１１は、ロックボタン１０の下部と口栓部材４の外周壁との間に挿入されたときにロックボタン１０のロック解除方向への動きを規制するストッパ片１１ａと、ストッパ片１１ａの挿入位置と非挿入位置とにスライド式ストッパ１１をそれぞれ保持する係止部１１ｃとを有するものとなっている。蓋部材６を閉じると蓋部材の係合片８がロックボタンの係合部１２と係合し、スライド式ストッパ１１を上方にスライドさせると、スライド式ストッパのストッパ片１１ａがロックボタン１１の下部と口栓部材４の外周壁との間に挿入され、ロックボタン１１のロック解除方向への動きが規制される。蓋部材６を開ける際は、スライド式ストッパ１１を下方にスライドしてロックボタン１０の規制を解除し、ロックボタン１０の下部を内側に押すことで係合部１２が蓋部材６の係合片８から外れて、蓋部材６が開くようになっている。
【０００３】
上記の蓋のロック機構は、ロックボタン１０、これを軸支する軸部材９、スプリング１３等といった多数の細かい部品で構成されており、これらの部品の製作、及び組立てに非常に手間が掛かっている。
また、蓋部材６が開いた状態で誤ってスライド式ストッパ１１を上方にスライドし、その後、無理やり蓋部材６を閉めようとすると、ロックボタン１０の動きがスライド式ストッパ１１により規制されているため、ロックボタン１０と蓋部材６との係合部や軸部材９に過大な負荷がかかり、破損するおそれがある。また、スライド式ストッパのストッパ片１１ａ一箇所のみでロックボタン１０の動きを規制しているため、ストッパ片１１ａが破損したときにはロック機能が発揮できなくなる。
【特許文献１】特開２００５−１９３９４４号公報
【発明の開示】
【発明が解決しようとする課題】
【０００４】
本発明は以上に述べた実情に鑑み、蓋のロック機構の構成を簡略化でき、尚且つ確実なロック機能が維持できる飲料容器用蓋の提供を目的とする。
【課題を解決するための手段】
【０００５】
上記の課題を達成するために請求項１記載の発明による飲料容器用蓋は、容器本体の上部開口側に着脱自在に取付けられる蓋用本体部と、蓋用本体部に水平軸で回動自在に取付けた回動蓋とを備え、且つ蓋用本体部の前側に回動蓋の閉状態保持と解除とを行う操作ボタンと、ロック部材とを備え、操作ボタンは、上下方向の中間部に蓋用本体部の外周壁に連続し、蓋用本体部の外周壁と一体を成すヒンジ部を備え、ヒンジ部を支点として揺動可能となり、上端部が回動蓋の先端部と係脱し、ロック部材は、上下方向にスライド可能に取付けられ、上端部に回動蓋との係合部を有し、上方にスライドしたときに係合部が回動蓋と係合して回動蓋を閉状態でロックし、下方にスライドしたときに係合部と回動蓋との係合が解除されることを特徴とする。
【０００６】
請求項２記載の発明による飲料容器用蓋は、請求項１記載の発明の構成に加え、ロック部材は、操作ボタンの両側及び下側を囲むように設けてあり、下部から前方に膨出する操作部を有し、上方にスライドしたときに操作部の内側に操作ボタンの下部が収容されることを特徴とする。
【０００７】
請求項３記載の発明による飲料容器用蓋は、請求項１又は２記載の構成に加え、ロック部材は、上方にスライドしたときに操作ボタンの下部と蓋用本体部外周壁との間に挿入し、操作ボタンの動きを規制する操作ボタン規制部を有することを特徴とする。
【発明の効果】
【０００８】
請求項１記載の発明による飲料容器用蓋は、回動蓋の閉状態の保持と解除とを行う操作ボタンを、上下方向の中間部に蓋用本体部の外周壁に連続し、蓋用本体部の外周壁と一体を成すヒンジ部を備え、ヒンジ部を支点として揺動可能としたので、部品点数を削減できると共に操作ボタンを別途取付ける手間が不要となり、ロック機構を簡略化してコストを削減できる。回動蓋を閉じると、回動蓋の先端部が操作ボタンの上端部に係止して回動蓋が閉状態に保持されると共に、ロック部材を上方にスライドすることでロック部材の係合部が回動蓋と係合し、回動蓋を閉状態で確実にロックすることができる。ロック部材を下方にスライドすれば係合部と回動蓋との係合が解除され、操作ボタンの下部を押すことで回動蓋を開けることができる。ロック部材は操作ボタンの動きを規制しないので、ロック部材を上方にスライドした状態で回動蓋を閉めても、操作ボタンに無理な力が加わらず、破損を防止できる。
【０００９】
請求項２記載の発明による飲料容器用蓋は、ロック部材が、操作ボタンの両側及び下側を囲むように設けてあるので、ロック部材により操作ボタンを保護できると共に、操作ボタンとロック部材を体裁良くコンパクトに配置できる。さらにロック部材は、下部から前方に膨出する操作部を有し、上方にスライドしたときに操作部の内側に操作ボタンの下部が収容されるようにしたので、飲料容器をバッグに入れて携帯しているときなどに、操作ボタンの下部に何か物が当たって押されるのを防止でき、また、ロック部材の操作性が良好になる。
【００１０】
請求項３記載の発明による飲料容器用蓋は、ロック部材を上方にスライドしたときに、ロック部材の係合部で回動蓋を閉状態にロックした上に、さらにロック部材の操作ボタン規制部が操作ボタンの動きを規制するため、回動蓋の閉状態でのロックがより一層確実に行える。
【発明を実施するための最良の形態】
【００１１】
以下、本発明の実施の形態を図面に基づいて説明する。図１から図６は、本発明を携帯用の魔法瓶の蓋に適用した実施形態を示している。この蓋は、ステンレス製で有底筒状に形成された容器本体１の上部開口側に着脱自在に取付けられる蓋用本体部２と、蓋用本体部２の上面に前後方向にスライド可能に取付けたスライド蓋１０と、スライド蓋１０に水平軸３で回動自在に取付けた回動蓋４と、回動蓋４の閉状態の保持と解除とを行う操作ボタン５と、回動蓋４を閉状態でロックするロック部材６とを備えている。各部品は、合成樹脂で形成してある。
【００１２】
蓋用本体部２は、図１，２に示すように、蓋本体２ａと、蓋本体２ａの上面に取付けたカバー２ｂとで構成されている。蓋本体２ａは、円筒状の周壁１１と、上面壁１２を有し、上面壁１２から円筒状の飲み口１３を突出して設けてある。周壁１１の内周面には、図３，４に示すように、ネジ条１４が設けてあり、ネジ条１４を容器本体１の上部開口部の周囲に形成したネジ溝に螺合することにより、容器本体１に着脱自在に取付けられる。上面壁１２の下面にはリング状パッキン１５が取付けてあり、リング状パッキン１５に容器本体１の開口縁部が密着している。飲み口１３の上端面は、後側が低くなるように水平面に対して２５°傾斜している。飲み口１３の左右両側には、図２に示すように、スライド蓋用ガイド部１６が設けてあり、スライド蓋用ガイド部１６は飲み口１３上端面の傾斜よりもゆるい傾斜角度（１５°）で、後側に向かって下り勾配で傾斜している。なお本飲料容器は、図７に示すように、飲み口１３に直接口を付けて飲料を飲むことを想定したものであり、飲料を飲むために手で持ったときに体に近い方の側を前側、その反対側を後側としている。
【００１３】
カバー２ｂは、図２に示すように、平面視略コ字形に形成され、スライド蓋１０を蓋本体２ａのスライド蓋用ガイド部１６に取付けた後、前側からスライド蓋用ガイド部１６を挟むようにして差し込むと、係止爪１７が蓋本体２ａに設けた被係止部４２に係止して取付けられるようになっている。カバー２ｂの前部には長方形の板状のロック部材取付基板１８が下方に垂下して設けてあり、ロック部材取付基板１８の両側にはロック部材用ガイド部１９が形成してあり、ロック部材取付基板１８の下部には、図４に示すように、ロック部材６を上方にスライドさせたロック位置に保持するための弾性爪２０が設けてある。
【００１４】
操作ボタン５は、カバー２ｂと一体成形したものであって、ロック部材取付基板１８の前方に隙間をあけて配置され、上下方向の中間部にロック部材取付基板１８に連続し、ロック部材取付基板１８と一体を成すヒンジ部２１を備えている。ヒンジ部２１は、前後方向の中央部を薄肉に形成して弾性的に折れ曲がるようにしてあり、操作ボタン５はこのヒンジ部２１を支点としてシーソーのように前後方向に揺動自在となっている。操作ボタン５の上端部には、回動蓋４の先端に設けた係止片２２が係止する係止部２３が設けてあり、操作ボタン５の下部とロック部材取付基板１８の間にはゴム製の円筒形のクッション２４を配設し、操作ボタン５を係止部２３が回動蓋４の係止片２２と係止する方向に付勢している。回動蓋４を前側に回動して閉じると、図４に示すように、係止片２２が操作ボタン５の係止部２３に係止し、回動蓋４が閉状態に保持される。操作ボタン５の下部を指で押すと、操作ボタン５上部が前側に移動して係止部２３から回動蓋４の係止片２２が外れ、回動蓋４を開けることができる。
【００１５】
スライド蓋１０は、飲み口１３を囲むような形で形成され、前側にはスライド時に飲み口１３を逃がす開口２５が設けてある。スライド蓋１０は、図２に示すように、左右の側壁の内面側に形成した突起２６を蓋本体２ａのスライド蓋用ガイド部１６に係合し、スライド蓋用ガイド部１６に沿って前後方向にスライド自在に取付けられる。スライド蓋１０の上面壁は、飲み口１３の上端面に沿うように傾斜しており、上面壁にパッキン取付孔２７を設け、パッキン取付孔２７に飲み口１３を塞ぐパッキン２８を嵌合保持してある。パッキン２８は、シリコンゴムで形成してあり、スライド蓋１０スライド時にパッキン２８が飲み口１３上端面とこすれないように、図３に二点鎖線４３で示すように、パッキン２８の下面の高さを飲み口１３上端面の下端と略同じにしてある。パッキン２８の上面には弾性突起２９がスライド蓋１０上面から突出するように設けてあり、スライド蓋１０を前側にスライドしてパッキン２８で飲み口１３を塞いだ上で回動蓋４を閉めると、図４に示すように、パッキン２８の弾性突起２９に回動蓋４の下面が当ってパッキン２８が下方に押し出されるように変形し、パッキン２８が飲み口１３上端面に押し付けられる。これにより飲料の漏れを確実に防止できる。操作ボタン５の下部を押して操作ボタン５の係止部２３から回動蓋４の係止片２２が外れると、パッキン２８の復元力により回動蓋４が後側に回動して開く。
【００１６】
さらにスライド蓋１０は、図３に示すように、後壁の内側面に円筒状突起３０が設けられ、該突起３０に差し込むようにしてシリコンゴムで形成したキャップ状の弾発体３１が取付けてある。弾発体３１は、図４に示すように、スライド蓋１０を前側にスライドして回動蓋４を閉じると、圧縮変形した状態で飲み口１３に当接しており、操作ボタン５を押して回動蓋４を開くと、弾発体３１の復元力によりスライド蓋１０が後側にスライドして飲み口１３が開放する。弾発体３１の変形と復元が確実になされるようにするため、弾発体３１は中空状に形成してあり、弾発体３１を取付けている円筒状突起３０には、弾発体３１の中空部に空気を出入りさせるためのスリット３２が設けてある。また弾発体３１は、先端部に膨らみ部３３が設けてあり、スライド蓋１０が後退限までスライドしたときには、図３に示すように、弾発体３１の膨らみ部３３が蓋本体２ａに形成した突出壁３４に係止し、これにより図７に示すように、飲料を飲むために飲料容器を傾けたときに、スライド蓋１０が自重によりひとりでに下方にスライドするのを防いでいる。
【００１７】
回動蓋４は、飲み口１３の上部を囲む蓋状部３５と、蓋状部３５の先端に垂下して設けた係止片２２を有している。回動蓋４は、図２に示すように、左右の側壁の内側面に水平軸３が突設してあり、該水平軸３をスライド蓋１０上面のパッキン２８よりも後側に形成した孔３６に係合することで、スライド蓋１０に回動自在に取付けられる。蓋状部３５の左右の側壁の内側面の水平軸３に隣接した位置には、図２と図４に示すように、中央部が盛り上がった山形のクサビ状突起３７が設けてあり、回動蓋４が開いたときには、図３に示すように、このクサビ状突起３７がスライド蓋１０の側壁の外側に乗り上げるように係止し、図７に示すように、飲料を飲むために飲料容器を傾けたときに、回動蓋４が自重によりひとりでに下方に回動するのを防止できるようになっている。
スライド蓋１０を前側にスライドして飲み口１３を塞いだ上で、図５（ａ）に示すように、回動蓋４を前側に回動して係止片２２を操作ボタン５の係止部２３に係止すると、スライド蓋１０は前側に引き付けられた状態で動かないようにロックされる。
【００１８】
ロック部材６は、図２と図６に示すように、左右の側壁３８と、左右の側壁３８を下部で繋ぐ繋ぎ部３９とを有する略コ字状に形成され、側壁３８の後側縁部に形成した突条４０をロック部材取付基板１８のロック部材用ガイド部１９に係合して、上下方向にスライド可能に取付けてある。ロック部材６は、操作ボタン５の両側と下側を囲むように設けてある。
ロック部材６の左右の側壁３８の上端部にはロック部材側係合部７が、回動蓋４の係止片２２の付け根位置の両側には回動蓋側係合部４１が、それぞれ突起状に設けてあり、図５（ａ）に示すように、回動蓋４を操作ボタン５に係止して閉じた後、図５（ｂ）に示すようにロック部材６を上方にスライドさせると、ロック部材側係合部７と回動蓋側係合部４１とが前後方向に係合し、これにより回動蓋４が閉状態でロックされる。ロック部材側係合部７と回動蓋側係合部４１との係合面は、垂直面に対して若干前側に倒れるように傾斜している。
【００１９】
さらに、ロック部材６の側壁３８の下部内側面には、図２に示すように操作ボタン規制用突起９が設けてあり、図６（ａ）に示すように、回動蓋４を操作ボタン５に係止して閉じた後、図６（ｂ）に示すようにロック部材６を上方にスライドさせると、この操作ボタン規制用突起９が操作ボタン５の下部とロック部材取付基板１８との間の隙間に挿入され、操作ボタン規制用突起９により操作ボタン５の動きが規制される。そのため、操作ボタン５の下部を押して回動蓋４を開けることができなくなる。
すなわち本ロック部材６は、側壁３８上端部のロック部材側係合部７を回動蓋４の回動蓋側係合部４１と係合することで回動蓋４をロックすることに加え、側壁３８内側の操作ボタン規制用突起９により操作ボタン５の動きを拘束することで、回動蓋４を二重にロックすることができる。ロック部材６を下方にスライドすると、図６（ａ）に示すように、ロック部材側係合部７が回動蓋側係合部４１から外れ、操作ボタン規制用突起９は操作ボタン５の下方に抜け、二箇所のロックを同時に解除できる。
【００２０】
さらに、ロック部材６下部の繋ぎ部３９には、操作部８が下部から操作ボタン５よりも前方に膨出する形で形成してあり、ロック部材６を上方にスライドしてロックしたときには、図４に示すように、操作部８の内側に操作ボタン５の下部が収容されるようになっている。そのため、飲料容器をバッグに入れて携帯しているときなどに、操作ボタン５の下部に何か物が当たって押されるのを防止できる。またこのように、ロック部材６の操作部８がロック状態で操作ボタン５の下部の外側に重なっていることで、操作部８を押し下げてロックを解除する操作と、操作ボタン５の下部を押して回動蓋４を開く操作を、親指一本で容易に行うことができる。
【００２１】
以上に述べたように、本飲料容器の蓋は、ロック部材６を上方にスライドすることで回動蓋４をロックすると共に操作ボタン５の動きを拘束するので、飲料容器をバッグ等に入れて携帯しているときなどに蓋が不用意に開くのを確実に防止できる。また、操作ボタン５を蓋用本体部２のカバー２ａに一体成形したので、部品点数を削減できると共に操作ボタン５を別途取付ける手間が不要となるので、コストを削減できる。
【００２２】
飲料を飲むために蓋を開けるときには、ロック部材６を下方にスライドさせた後、操作ボタン５の下部を前側から押し込めば回動蓋４の係止片２２が操作ボタン５の係止部２３から外れ、回動蓋４がパッキン２８の復元力により後側に回動して開く。回動蓋４が開くのと同時に、スライド蓋１０が弾発体３１の復元力により後側にスライドして、飲み口１３が開放する。すなわち、操作ボタン５を押すだけで回動蓋４とスライド蓋１０を連続して開けることができる。スライド蓋１０は、斜め下方にスライドするため、蓋全開時には図３に示すように、回動蓋４の先端が飲み口１３の先端と略同じ高さになるまで下降し、そのため、図７に示すように、飲み口１３に口を付けて飲料を飲むときでも、回動蓋４やスライド蓋１０が邪魔にならない。また、飲み口１３を開放したときでもパッキン２８が裏返しにならないので、パッキン２８の飲み口塞ぎ面にゴミや髪の毛等が付着することがなく、衛生的である。
【００２３】
ロック部材６は、側壁３８内側の操作ボタン規制用突起９を無くし、上方にスライドしたときでも操作ボタン５の動きを規制しないようにすることもできる。この場合は、誤ってロック部材６を上方にスライドした状態で回動蓋４を閉めたときでも、操作ボタン５はロック部材６と関係なく揺動するので操作ボタン５のヒンジ部２１等に無理な力が掛からず、破損を防止できる。また、操作ボタン規制用突起９が無くても、側壁３８上端部のロック部材側係合部７が回動蓋４の回動蓋側係合部４１と係合することで回動蓋４をロックでき、さらにロック部材６の操作部８の内側に操作ボタン５の下部を収容することで、確実なロック機能を確保できる。
【００２４】
本発明は、以上に述べた実施形態に限定されない。スライド蓋１０を設けることなく、蓋本体２ａに回動蓋４を取り付け、回動蓋４により飲み口１３を直接塞ぐようにすることもできる。また、蓋本体２ａに着脱するカバー２ｂに操作ボタン５とロック部材６を設けるのではなく、蓋本体２ａ自体に操作ボタン５とロック部材６を設けることもできる。
【図面の簡単な説明】
【００２５】
【図１】本発明の飲料容器用蓋の一実施形態を示す斜視図であって、（ａ）は蓋を開けた状態、（ｂ）は蓋を閉じてロック部材によりロックした状態を示している。
【図２】同飲料容器用蓋の分解斜視図である。
【図３】同飲料容器用蓋の蓋を開けた状態の縦断面図である。
【図４】同飲料容器用蓋の蓋を閉じてロック部材によりロックした状態の縦断面図である。
【図５】同飲料容器用蓋の蓋を閉じた状態の側面図であって、（ａ）はロック部材を下方にスライドした状態（非ロック状態）、（ｂ）はロック部材を上方にスライドした状態（ロック状態）を示している。
【図６】同飲料容器用蓋の蓋を閉じた状態の正面図であって、（ａ）はロック部材を下方にスライドした状態（非ロック状態）、（ｂ）はロック部材を上方にスライドした状態（ロック状態）を示している。
【図７】蓋を開けて飲料を飲んでいるときの状態を示す側面図である。
【符号の説明】
【００２６】
１  容器本体
２  蓋用本体部
２ａ  蓋本体
２ｂ  カバー
３  水平軸
４  回動蓋
５  操作ボタン
６  ロック部材
７  ロック部材側係合部（係合部）
８  操作部
９  操作ボタン規制用突起（操作ボタン規制部）
１０  スライド蓋
２１  ヒンジ部
【図１】
2009023712.tif 000003
【図２】
2009023712.tif 000004
【図３】
2009023712.tif 000005
【図４】
2009023712.tif 000006
【図５】
2009023712.tif 000007
【図６】
2009023712.tif 000008
【図７】
2009023712.tif 000009